(57)【要約】【課題】充電電圧と等しい電圧が入力される場合には、バッテリーに加えられる電圧が低下しないようにすることができ、またバッテリーの充電電圧と異なる電源が接続された場合でも確実に充電完了できるようにする。【解決手段】バッテリーを充電する充電装置と同様の電圧値であり、かつ充電用に定電流制御された電源が接続される場合には、ＤＣ／ＤＣコンバータの二次側の電源ラインに直接接続し、入力されるＤＣ電圧がバッテリーの充電電圧と異なる電源が接続される場合には前記ＤＣ／ＤＣコンバータを介して定電圧／定電流制御を行なうようにして、バッテリーの充電電圧より高い入力が加えられた場合においても、バッテリーの充電に適した定電圧／定電流制御された入力が加えられた場合においても、正常に充電を行なうことができるようにする。【選択図】        図１
2004260909.tif 000002
【特許請求の範囲】
【請求項１】
バッテリーを充電する充電装置であって、
前記バッテリーの充電電圧と同様の電圧値であり、かつ充電用に定電流制御された電源が接続される場合には、ＤＣ／ＤＣコンバータの二次側の電源ラインに直接接続し、入力されるＤＣ電圧がバッテリーの充電電圧と異なる電源が接続される場合には前記ＤＣ／ＤＣコンバータを介して定電圧／定電流制御を行なうようにしたことを特徴とする多入力電源の充電装置。
【発明の詳細な説明】
【０００１】
【発明の属する技術分野】
本発明は多入力電源の充電装置に関し、特に、異なる入力電圧の電源を使用して、リチウムイオン二次バッテリー等の定電圧／定電流充電を行なうようにする充電装置に用いて好適なものである。
【０００２】
【従来の技術】
従来、入力電圧の異なる充電装置と電源とを接続する場合には、例えば、図１０に示すように構成されていた。図１０において、２０１は従来の充電装置、２０２はＤＣ入力ジャック、２０３は第１のバッテリー１、２０４は第２のバッテリー２、２０５はカーバッテリーケーブル、２０６は車用シガレットプラグ、２０７は１２Ｖ／２４ＶのＤＣ入力プラグ、２０８は９．５Ｖを供給するＡＣアダプタ、２０９はＡＣ入力プラグ、２１０は９．５ＶのＤＣ入力プラグである。
【０００３】
図１０の従来の充電装置に示したように、従来の多入力電源の充電装置２０１は専用の三端子の電源コネクタを設け、ＤＣ／ＤＣコンバータを介してバッテリーの充電電圧の生成を行っていた。
【０００４】
【発明が解決しようとする課題】
しかしながら、この種の充電システムにおいては、常にＤＣ／ＤＣコンバータを介して充電電圧の生成を行なうようにしているため、バッテリーの充電電圧が入力される場合には充電電圧が低下してしまうことにより充電完了まで充電を行なうことができなかった。
【０００５】
また、バッテリーの充電条件と等しく定電圧／定電流制御された電源を使用して充電を行なう場合には、一般的に、その出力が電子機器のラッシュ電流に対応するために、出力電圧が低下した場合には定電流を解除、若しくは定電流値を変更する場合があるために、通常の急速充電開始条件ではバッテリーに過大な充電電流が流れてバッテリーの破損、寿命低下を招く恐れがあった。
【０００６】
本発明はこのような状況のもとでなされたものであり、多入力電源の充電装置において、充電電圧と等しい電圧が入力される場合には、バッテリーに加えられる電圧が低下しないようにすることができ、またバッテリーの充電電圧と異なる電源が接続された場合でも確実に充電完了できるようにすることを目的としている。
【０００７】
【課題を解決するための手段】
本発明の多入力電源の充電装置は、バッテリーを充電する充電装置において、前記バッテリーの充電電圧と同様の電圧値であり、かつ充電用に定電流制御された電源が接続される場合には、ＤＣ／ＤＣコンバータの二次側の電源ラインに直接接続し、入力されるＤＣ電圧がバッテリーの充電電圧と異なる電源が接続される場合には前記ＤＣ／ＤＣコンバータを介して定電圧／定電流制御を行なうようにしたことを特徴としている。
【０００８】
本発明の多入力電源の充電装置の具体例を挙げて説明すると、本発明の多入力電源の充電装置は、バッテリーと同様な値の充電電圧及び充電電流が供給される入力部と、バッテリーの充電電圧と異なる電圧が供給される入力部とが同じ入力ジャックであり、入力電圧を検出した結果、バッテリーの充電電圧より高い電圧が入力されるとＤＣ／ＤＣコンバータを介してバッテリーの充電電圧／充電電流を生成するようにする。また、バッテリーの充電電圧と同じか低い電圧が入力されると、前記入力電圧を前記ＤＣ／ＤＣコンバータの出力側に供給するように、例えば、電気的スイッチで切り換えるように構成している。
【０００９】
【発明の実施の形態】
次に、添付図面を参照しながら本発明の多入力電源の充電装置について説明する。
＜第１の実施の形態＞
図１は、本発明の第１の実施の形態を示し、充電装置の特徴を最も良く表すブロック図である。
【００１０】
図１において、１は充電装置、２はＤＣ入力ジャック、３はＤＣ入力切り換えスイッチ、４は電圧検出部、５はＤＣ／ＤＣコンバータ、６はレギュレータ、７は充電制御マイコン、８は急速充電をＯＮ／ＯＦＦするスイッチ、９はトリクル充電用に充電電流を制限する抵抗器、１０はトリクル充電をＯＮ／ＯＦＦするスイッチ、１１は急速充電を制御するスイッチ、１２はトリクル充電を制御するスイッチ、１３は充電電流を検出する抵抗器、１４及び１５は充電装置側の充電端子、１６は充電を行なうバッテリー、１７及び１８はバッテリーの出力端子である。
【００１１】
ＤＣ入力ジャック２にはバッテリー１６を充電する電圧と同じ電圧の電源、又は異なる電圧の電源が接続される。そこで、入力された電圧がバッテリーの充電電圧より高いかどうかを電圧検出部４において検出している。
【００１２】
そして、ＤＣ入力電圧の方がバッテリーの充電電圧より高い場合には、ＤＣ入力切り換えスイッチ３はＤＣ入力をＤＣ／ＤＣコンバータ５の入力側に接続し、ＤＣ／ＤＣコンバータ５によりバッテリーの充電電圧まで減圧し、定電圧／定電流制御を行なうように動作する。
【００１３】
充電制御マイコン７は、バッテリーが充電端子１４、１５に装着されたことを検出すると、トリクル充電から急速充電、補充電の制御を行い、バッテリーの充電完了後に終了する。なお、トリクル充電は、過放電により作動しているバッテリー部の保護回路を復帰させるために行なうもので、通常充電の場合よりも微小な電流で充電するものである。
【００１４】
一方、ＤＣ入力電圧がバッテリー１６の充電電圧より低い場合には、ＤＣ入力切り換えスイッチ３はＤＣ入力をＤＣ／ＤＣコンバータ５の出力側に接続し、その入力された電圧がバッテリー１６の充電用として直接加えられる。
【００１５】
この入力の場合、加えられる電力は定電圧／定電流制御されているため、バッテリー１６に急速充電が加えられると、ＤＣ入力部の電圧はバッテリー１６の充電電圧と等しくなるために変動する。充電制御マイコン７の充電制御は、前述のＤＣ／ＤＣコンバータ５を介した充電制御と同じである。このように構成することにより、ＤＣ／ＤＣコンバータ５を介することによる電圧の低下を防止することが可能になり、充電を完了することが可能になる。なお、図１では、実施の形態の多入力電源の充電装置の説明に必要のない一般的な充電装置の回路構成については割愛している。
【００１６】
図２は、本実施の形態の充電装置で用いられる充電制御の例を示す特性図である。なお、図２においては、リチウムイオン二次バッテリーを想定しており、上図は充電中のバッテリー電圧の変化を表しており、下図はバッテリー電圧の変化に対する充電電流の変化を表している。
【００１７】
図２において、バッテリー電圧が急速充電開始電圧に至るまでトリクル充電を行い、バッテリーの充電電圧が急速充電開始電圧まで上昇すると（Ａ点）急速充電を開始し、バッテリーに急速充電電流を供給する。
【００１８】
その後、バッテリー電圧がバッテリー充電電圧まで上昇する（Ｂ点）。この状態までＤＣ／ＤＣコンバータ５は定電流制御を行っている。そして、Ｂ点からはＤＣ／ＤＣコンバータ５は定電圧制御を行い、充電電流はバッテリー１６の充電特性に従いながら垂下する。
【００１９】
そして、予め設定された値まで充電電流が低下すると（Ｃ点）、充電装置１は充電完了表示を行い、補充電状態となる。この補充電は一般にタイマー制御されており、設定時間の経過により終了される（Ｄ点）。
【００２０】
図３は、第１の実施の形態における充電動作を説明するフローチャートである。
最初のステップＳ１０１スタート処理、次のステップＳ１０２は電源の入力処理、ステップＳ１０３は入力電圧の検出分岐処理、ステップＳ１０４はＤＣ／ＤＣコンバータ処理、ステップＳ１０５はバッテリー有無検出分岐処理、ステップＳ１０６はトリクル充電スタート処理、ステップＳ１０７はバッテリーの急速充電可能電圧分岐処理、ステップＳ１０８は急速充電スタート処理、ステップＳ１０９は充電完了分岐処理、ステップＳ１１０はＥＮＤ処理、の各処理である。
【００２１】
図３に示したように、ステップＳ１０２で電源が入力されると、次に、ステップＳ１０３で電圧検出部４により入力電圧がバッテリー１６の充電電圧より高いかどうかを判定する。この判定の結果、入力電圧がバッテリーの充電電圧より高い場合にはステップＳ１０４に移行し、スイッチ３によりＤＣ／ＤＣコンバータ５の入力側に接続する。
【００２２】
その後、充電制御マイコン７がバッテリー１６の装着を検出すると、ステップＳ１０６でトリクル充電制御スイッチ１２をＯＮし、トリクル充電ＯＮ／ＯＦＦスイッチ１０がＯＮされてトリクル充電を開始する。
【００２３】
次に、ステップＳ１０７では、バッテリー電圧の上昇を検出し、充電制御マイコン７がバッテリー１６の電池電圧が急速充電開始電圧まで上昇していることを検出すると、ステップＳ１０８に移行し、急速充電制御スイッチ１１をＯＮし、急速充電ＯＮ／ＯＦＦスイッチ８がＯＮされて急速充電が開始される。
【００２４】
そして、充電が進行して充電電圧が設定された値まで上昇し、充電電流が設定された値まで減少すると、ステップＳ１０９で充電制御マイコン７が充電完了を検出し、ステップＳ１１０で充電を終了する。
【００２５】
＜第２の実施の形態＞
図４は、本発明の第２の実施の形態を示し、多入力電源の充電装置のブロック図である。なお、図４において符号１から符号１８までは前述した第１の実施の形態の充電装置１を説明する図１と共通であるので説明を省略する。
【００２６】
図４において、１９はＤＣ入力プラグの検出スイッチである。第２の実施の形態では、バッテリーの充電用として定電圧／定電流制御された入力が供給される専用のジャック１９が設けてある。
【００２７】
第１の実施の形態の制御と異なる点は、第１の実施の形態が入力電圧を検出して電気的に切り換えていることに対し、第２の実施の形態では機械的に行っていることである。その他の充電制御については第１の実施の形態の充電制御と同様である。
【００２８】
図５は、第２の実施の形態の充電装置の充電動作を説明するフローチャートである。
図５において、ステップＳ２０１はスタート、ステップＳ２０２は電源の入力、ステップＳ２０３はＤＣ入力ジャック分岐、ステップＳ２０４はＤＣ／ＤＣコンバータ、ステップＳ２０５はバッテリー有無検出分岐、ステップＳ２０６はトリクル充電スタート、ステップＳ２０７はバッテリーの急速充電可能電圧分岐、ステップＳ２０８は急速充電スタート、ステップＳ２０９は充電完了分岐、ステップＳ２１０はＥＮＤである。
【００２９】
ステップＳ２０１で処理が開始され、ステップＳ２０２で電源が入力されると、ステップＳ２０３でＤＣ入力ジャック２に入力電圧が供給されている場合はステップＳ２０４に移行してＤＣ／ＤＣコンバータを介して定電圧／定電流制御される。
【００３０】
また、ＤＣ入力ジャック１９に入力電圧が供給されている場合にはステップＳ２０５に移行して入力された電力がそのままバッテリー１６に供給されることになる。その後のステップＳ２０５からステップＳ２１０に至る制御動作については、図３のステップＳ１０５からステップＳ１１０と同様である。
【００３１】
第２の実施の形態によれば、充電装置にバッテリーの充電に適した定電圧／定電流制御されたＤＣ入力が加えられる入力ジャックと、バッテリーの充電電圧より高いＤＣ入力が加えられる入力ジャックを２種類持たせることにより、それぞれの場合においても正常に充電を行なうことが可能になる。
【００３２】
＜第３の実施の形態＞
図６は、本発明の第３の実施の形態を示し、充電装置の構成を説明するブロック図である。なお、図６において、符号１から符号１９までは第２の実施の形態を説明した図４に用いた符号と共通である。図６において、符号２０はＤＣ入力プラグの検出スイッチ、２１はプルアップ抵抗である。
【００３３】
第２の実施の形態における充電装置の制御と異なる点は、ＤＣ入力ジャック２から電力が供給された場合、充電制御マイコン７は急速充電を開始する電圧設定を、バッテリー１６の急速充電可能な電圧設定よりも高く設定するように動作することである。
【００３４】
図６では、充電制御マイコン７のプログラム上でこの電圧設定の切り換えを行なうようなブロックにしているが、充電電圧を検出しているラインに分圧抵抗を挿入し、スイッチ２０からの信号によりハード的に切り換える方法を選択しても良い。
【００３５】
図７は、第３の実施の形態のＤＣ入力ジャック１９からの入力時の充電制御を示している。
ＤＣ入力ジャック１９に接続されるＡＣアダプタの出力は右図のように、バッテリーの充電領域と、電子機器の通常動作時に発生するラッシュ電流に対応するためのラッシュ領域を設けている。
【００３６】
なお、ＡＣアダプタは本実施の形態の充電装置に接続するだけでなく、電子機器の電源としても使用可能なように構成されている。このＡＣアダプタの場合、電子機器のラッシュ電流はバッテリー１６の許容最大充電電流を超過しているため、そのままバッテリーに供給することはできない。
【００３７】
また、電子機器に必要な電圧は、バッテリー１６にとって一般に急速充電可能な電圧設定（急速充電可能電圧設定１）よりも高い電圧であるため、第３の実施の形態では新たに急速充電可能電圧設定２という条件を設け、ＤＣ入力ジャック１９から電源が供給された場合、バッテリーの電圧がこの急速充電可能電圧設定２を超過した時点から急速充電を行なうように制御する。
【００３８】
この制御を行った場合の充電電圧／充電電流の関係が右図に示してある。トリクル充電を急速充電可能電圧設定２（Ａ’点）まで行い、Ａ’点から急速充電を開始するようにしている。
【００３９】
そして、Ｂ’点まで定電流制御が行われ、バッテリーの電圧がバッテリーの充電電圧に到達すると定電圧制御となり、バッテリーの充電特性に従って充電電流が垂下する。その後、予め設定された充電電流まで低下（Ｃ’点）すると、補充電が開始され、タイマーカットにより充電が終了する。
【００４０】
図８は、第３の実施の形態における充電動作を説明するフローチャートである。
図８において、ステップＳ３０１はスタート、ステップＳ２０２、ステップＳ２０３、ステップＳ２０４、ステップＳ２０５は第２の実施の形態と同じ制御、ステップＳ３０３はトリクル充電スタート、ステップＳ３０４はＤＣ入力ジャック分岐、ステップＳ３０５は急速充電可能電圧設定１、ステップＳ３０６は急速充電可能電圧設定２、ステップＳ３０７はバッテリー急速充電可能電圧分岐、ステップＳ３０８は急速充電スタート、ステップＳ３０９は充電完了分岐、ステップＳ３１０はＥＮＤである。
【００４１】
第３の実施の形態においては、バッテリーの装着が検出されると、ステップＳ３０３でトリクル充電がスタートする。次に、ステップＳ３０４ではＤＣ入力ジャックの状態を検出し、ＤＣ入力がＤＣ入力ジャック２に供給されている場合にはステップＳ３０５に移行して急速充電可能な電圧を第１の電圧設定１にセットし、ＤＣ入力がＤＣ入力ジャック１９に供給されている場合にはステップＳ３０６に移行して急速充電可能な電圧を第２の電圧設定２にセットする。
【００４２】
その後、ステップＳ３０７で、電圧設定された電圧値までバッテリー電圧が上昇したか否かを判定する。この判定の結果、急速充電可能な電圧まで上昇するとステップＳ３０８で急速充電がスタートし、その後、ステップＳ３０９で充電完了が検出されるとステップＳ３１０で充電を終了する。
【００４３】
図９は、本発明の第３の実施の形態の充電装置に用いられる或る形態を示している。
図９において、１０１は２巻充電の充電装置、１０２は第２のＤＣ入力ジャック２、１０３は第１のＤＣ入力ジャック１、１０４は第１のバッテリー１、１０５は第２のバッテリー２、１０６はカーバッテリーケーブル、１０７は車用シガレットプラグ、１０８は１２Ｖ／２４ＶのＤＣ入力プラグ、１０９は９．５Ｖを供給するＡＣアダプタ、１１０はＡＣ入力プラグ、１１１は９．５ＶのＤＣ入力プラグ、１１２は８．４Ｖ（バッテリーの充電用に定電圧／定電流制御）を供給するＡＣアダプタ、１１３はＡＣ入力プラグ、１１４は８．４ＶのＤＣ入力プラグである。
【００４４】
この第３の実施の形態によれば、充電装置にバッテリーの充電に適した定電圧／定電流制御された入力が加えられた場合、急速充電の開始電圧を高く設定することにより安全に充電を行なうことが可能になる。
【００４５】
（本発明の他の実施の形態）
本発明は複数の機器から構成されるシステムに適用しても１つの機器からなる装置に適用しても良い。
【００４６】
また、前述した実施の形態の機能を実現するように各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００４７】
また、この場合、前記ソフトウェアのプログラムコード自体が前述した実施の形態の機能を実現することになり、そのプログラムコード自体、及びそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４８】
また、コンピュータが供給されたプログラムコードを実行することにより、前述の実施の形態で説明した機能が実現されるだけでなく、そのプログラムコードがコンピュータにおいて稼働しているＯＳ（オペレーティングシステム）あるいは他のアプリケーションソフト等と共同して前述の実施の形態で示した機能が実現される場合にもかかるプログラムコードは本発明の実施の形態に含まれることは言うまでもない。
【００４９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【００５０】
以下に、本発明の実施態様の例を列挙する。
〔実施態様１〕  バッテリーを充電する充電装置であって、前記バッテリーの充電電圧と同様の電圧値であり、かつ充電用に定電流制御された電源が接続される場合には、ＤＣ／ＤＣコンバータの二次側の電源ラインに直接接続し、バッテリーの充電電圧と異なる電圧値のＤＣ入力用電源が接続される場合には前記ＤＣ／ＤＣコンバータを介して定電圧／定電流制御を行なうようにしたことを特徴とする多入力電源の充電装置。
〔実施態様２〕  前記バッテリーの充電電圧と同様の電圧値であり、かつ充電用に定電流制御された電源が接続される第１の入力ジャックと、バッテリーの充電電圧と異なる電圧値のＤＣ入力用電源が接続される第２の入力ジャックの両方を備えていることを特徴とする多入力電源の充電装置。
本実施態様は、具体的には、バッテリーの充電電圧及び充電電流が供給される入力部と、バッテリーの充電電圧と異なる電圧が供給される入力部を分離し、バッテリーの充電電圧と異なる電圧が供給される入力部はＤＣ／ＤＣコンバータを介してバッテリーの充電電圧／充電電流を生成し、バッテリーの充電電圧及び充電電流が供給される入力部はＤＣ／ＤＣコンバータの出力側に接続するように構成していることを特徴としている。
この場合は、入力ジャックを２種類持たせても正常に充電を行うことが可能となる。
〔実施態様３〕  前記バッテリーの充電電圧と同様の電圧値であり、かつ充電用に定電流制御された電源が接続された場合には、急速充電が開始されるバッテリーの電圧を、ＤＣ／ＤＣコンバータによって充電出力を生成する場合より高く設定するようにしたことを特徴とする実施態様１または２に記載の多入力電源の充電装置。
【００５１】
〔実施態様４〕  バッテリーを充電する充電方法であって、前記バッテリーの充電電圧と同様の電圧値であり、かつ充電用に定電流制御された電源が接続される場合には、ＤＣ／ＤＣコンバータの二次側の電源ラインに直接接続し、バッテリーの充電電圧と異なる電圧値のＤＣ入力用電源が接続される場合には前記ＤＣ／ＤＣコンバータを介して定電圧／定電流制御を行なうようにしたことを特徴とする多入力電源の充電方法。
〔実施態様５〕  前記バッテリーの充電電圧と同様の電圧値であり、かつ充電用に定電流制御された電源が接続された場合には、急速充電が開始されるバッテリーの電圧を、ＤＣ／ＤＣコンバータによって充電出力を生成する場合より高く設定するようにしたことを特徴とする実施態様４に記載の多入力電源の充電方法。
【００５２】
〔実施態様６〕  バッテリーを充電する充電方法をコンピュータに実行させるためのプログラムであって、前記バッテリーの充電電圧と同様の電圧値であり、かつ充電用に定電流制御された電源が接続された場合には、急速充電が開始されるバッテリーの電圧を、ＤＣ／ＤＣコンバータによって充電出力を生成する場合より高く設定するようにする充電方法をコンピュータに実行させることを特徴とするコンピュータプログラム。
〔実施態様７〕  前記実施態様６に記載のプログラムをコンピュータ読み取り可能に記録したことを特徴とする記録媒体。
【００５３】
【発明の効果】
本発明は前述したように、本発明によれば、バッテリーを充電するために、前記バッテリーの充電電圧と同様の電圧値であり、かつ充電用に定電流制御された電源が接続される場合には、ＤＣ／ＤＣコンバータの二次側の電源ラインに直接接続し、入力されるＤＣ電圧がバッテリーの充電電圧と異なる電源が接続される場合には前記ＤＣ／ＤＣコンバータを介して定電圧／定電流制御を行なうようにしたので、同一のＤＣ入力ジャックに、バッテリーの充電電圧より高い入力が加えられた場合においても、バッテリーの充電に適した定電圧／定電流制御された入力が加えられた場合においても、正常に充電を行なうことができる。
【図面の簡単な説明】
【図１】本発明の第１の実施の形態を示し、充電装置を最も良く表すブロック図である。
【図２】実施の形態の充電装置で用いられる充電制御の例を示す特性図である。
【図３】第１の実施の形態における充電動作を説明するフローチャートである。
【図４】本発明の第２の実施の形態を示し、多入力電源の充電装置のブロック図である。
【図５】第２の実施の形態における充電装置の充電動作を説明するフローチャートである。
【図６】本発明の第３の実施の形態を示し、充電装置の構成を説明するブロック図である。
【図７】第３の実施の形態のＤＣ入力ジャックからの入力時の充電制御を示す図である。
【図８】第３の実施の形態における充電動作を説明するフローチャートである。
【図９】第３の実施の形態の充電装置の使用例を示す図である。
【図１０】従来の充電装置の一例を示すブロック図である。
【符号の説明】
１  充電装置
２  ＤＣ入力ジャック
３  ＤＣ入力切り換えスイッチ
４  電圧検出部
５  ＤＣ／ＤＣコンバータ
６  レギュレータ
７  充電制御マイコン
８  急速充電ＯＮ／ＯＦＦスイッチ
９  トリクル充電電流制限抵抗
１０  トリクル充電ＯＮ／ＯＦＦスイッチ
１１  急速充電制御スイッチ
１２  トリクル充電制御スイッチ
１３  電流検知抵抗
１４  充電装置側の充電端子（＋）
１５  充電装置側の充電端子（−）
１６  バッテリー
１７  バッテリーの出力端子（＋）
１８  バッテリーの出力端子（−）
１９  ＤＣ入力ジャック（充電入力）
２０  プラグ装着検出スイッチ
２１  プルアップ抵抗
【図１】
2004260909.tif 000003
【図２】
2004260909.tif 000004
【図３】
2004260909.tif 000005
【図４】
2004260909.tif 000006
【図５】
2004260909.tif 000007
【図６】
2004260909.tif 000008
【図７】
2004260909.tif 000009
【図８】
2004260909.tif 000010
【図９】
2004260909.tif 000011
【図１０】
2004260909.tif 000012